(57)【要約】【課題】タッチスイッチのブラインドタッチ操作が容易であり、かつ、タッチスイッチの数以上の機能をユーザが選択可能なメディア再生装置を得る。【解決手段】ディスク挿入面パネル３の操作領域Ｓ1を２分割して、分割した２つのエリアのうちの一方のエリア全面にタッチスイッチ３ａを、他方のエリア全面にタッチスイッチ３ｂを配置する。タッチスイッチ３ａ，３ｂへのユーザの接触及びその接触時間の組合せに基づき、メディア再生装置は停止、再生、曲送り及び戻し、早送り及び戻し等の各機能を実行する。【選択図】図２
2015201239.tif 000002
【特許請求の範囲】
【請求項１】
筐体の操作領域を分割した複数のエリアそれぞれの全面に配置された複数のタッチスイッチと、
前記複数のタッチスイッチへのユーザの接触及び接触時間の組合せに基づき動作指令を出力する制御部と、
前記制御部が出力する前記動作指令に対応した機能を実行するメディア再生部とを備えることを特徴とするメディア再生装置。
【請求項２】
前記制御部は、前記複数のタッチスイッチへのユーザの接触の順番及び接触時間の組合せに基づき前記動作指令を出力することを特徴とする請求項１記載のメディア再生装置。
【請求項３】
前記タッチスイッチは、前記操作領域内に２個配置されていることを特徴とする請求項１または請求項２記載のメディア再生装置。
【請求項４】
車両に搭載されることを特徴とする請求項１から請求項３のうちのいずれか１項記載のメディア再生装置。
【発明の詳細な説明】
【技術分野】
【０００１】
この発明は、タッチスイッチによる操作が可能なメディア再生装置に関するものである。
【背景技術】
【０００２】
従来のメディア再生装置では、その装置前面に、機能ごとに割り当てられたメカニカルスイッチを配置していた。そして、ユーザによりメカニカルスイッチが押下されることで、メディア再生装置は各機能を実行していた。
しかし、メカニカルスイッチは機械的な機構で構成されるため、その寿命によりメディア再生装置の操作ができなくなる場合があるなどの欠点があった。また、飲料水をこぼすなどしてメカニカルスイッチの取付部の隙間から水分が侵入することにより、メディア再生装置の操作ができなくなるなどの欠点もあった。
【０００３】
そこで、近年は、機械的な機構を必要としないタッチスイッチを使用する傾向がある。
しかし、タッチスイッチは、ユーザの手指が接触した瞬間に検知してしまうという性質上、車載等のメディア再生装置に配置して、ユーザがブラインドタッチ操作を行うのには適さない。
なお、ブラインドタッチ操作を目的としたものではないものの、例えば特許文献１には、タッチパネル面の視認性が悪い場合にもタッチパネルに配置されたタッチスイッチを確実に操作できるように、タッチパネル面を分割して所定のタッチスイッチとして割り当て、ユーザが円滑に所望のタッチスイッチを操作できるようにした構成が開示されている。
【先行技術文献】
【特許文献】
【０００４】
【特許文献１】特開２００６―１２２６２号公報
【発明の概要】
【発明が解決しようとする課題】
【０００５】
しかしながら、上記特許文献１に示された構成によると、タッチパネル面の視認性が悪い場合にも円滑なユーザ操作が可能である代わりに、配置できるタッチスイッチの数は限定されてしまう。そして、１つのタッチスイッチには１つの機能が割り当てられているため、ユーザが選択可能な機能の数が、タッチスイッチの数と同数に限定されてしまうという課題があった。
【０００６】
この発明は、上記のような課題を解決するためになされたもので、タッチスイッチのブラインドタッチ操作が容易であり、かつ、タッチスイッチの数以上の機能をユーザが選択可能な、メディア再生装置を提供することを目的とする。
【課題を解決するための手段】
【０００７】
この発明に係るメディア再生装置は、筐体の操作領域を分割した複数のエリアそれぞれの全面に配置された複数のタッチスイッチと、複数のタッチスイッチへのユーザの接触及び接触時間の組合せに基づき動作指令を出力する制御部と、制御部が出力する動作指令に対応した機能を実行するメディア再生部とを備えることを特徴とするものである。
【発明の効果】
【０００８】
この発明によれば、筐体の操作領域を分割した複数のエリアそれぞれの全面に複数のタッチスイッチを配置して、この複数のタッチスイッチへのユーザの接触及び接触時間の組合せに基づき制御部がメディア再生部に動作指令を出力するようにしたので、ユーザはタッチスイッチのブラインドタッチ操作が容易であり、かつ、タッチスイッチの数以上の機能を選択可能となる。
【図面の簡単な説明】
【０００９】
【図１】この発明の実施の形態１に係るメディア再生装置の構成を示す図である。
【図２】この発明の実施の形態１に係るメディア再生装置の斜視図である。
【図３】この発明の実施の形態１におけるタッチスイッチへの接触とその接触に対応する機能をまとめたタッチスイッチ機能表である。
【図４】この発明の実施の形態１におけるタッチスイッチへの接触に関するタイミングチャートである。
【図５（ａ）】この発明の実施の形態１に係るメディア再生装置の処理を示すフローチャートである。
【図５（ｂ）】この発明の実施の形態１に係るメディア再生装置の処理を示すフローチャートである。
【図６】この発明の実施の形態１における操作アイコンの配置例である。
【図７】この発明の実施の形態２に係るメディア再生装置の平面図である。
【図８】この発明の実施の形態２に係るメディア再生装置の平面図である。
【図９（ａ）】この発明の実施の形態２におけるタッチスイッチへの接触とその接触に対応する機能をまとめたタッチスイッチ機能表である。
【図９（ｂ）】この発明の実施の形態２における操作アイコンの配置例である。
【図１０】この発明の実施の形態１に係るメディア再生装置の理解を助けるための参考例となるメディア再生装置の平面図である。
【発明を実施するための形態】
【００１０】
実施の形態１．
図１に、この発明の実施の形態１に係るメディア再生装置の構成を示す。メディア再生装置は、車両に搭載されるものとして説明する。
メディア再生装置は、ＣＤ（Ｃｏｍｐａｃｔ  Ｄｉｓｃ）等のディスクについての挿入、排出、再生、停止、早送り等の各機能を電気制御により実行するメディア再生ユニット（メディア再生部）１と、メディア再生ユニット１に対する電源供給及び動作制御を行うメディア再生ユニット制御回路２と、ディスク挿入面パネル３に設けられてユーザ操作を受付ける２個のタッチスイッチ３ａ，３ｂ等とで構成される。
【００１１】
メディア再生ユニット１は、モータ、光ピックアップ等の機械的な要素で構成され、メディア再生ユニット制御回路２から送られる動作指令を受けて、動作する。
メディア再生ユニット制御回路２は、ＣＰＵ（Ｃｅｎｔｒａｌ Ｐｒｏｃｅｓｓｉｎｇ Ｕｎｉｔ、制御部）２１、ロジック化回路２２、インタフェース（以下、Ｉ／Ｆ）コネクタ２３、Ｉ／Ｆ回路２４、電源コネクタ２５、電源回路２６とで構成される。電源コネクタ２５は、不図示の外部電源に接続されて電源回路２６へ電源供給する。車載のメディア再生装置の場合、車載バッテリのバッテリ電圧が電源コネクタ２５を介して電源回路２６へ供給される。電源回路２６は、当該バッテリ電圧からメディア再生ユニット１およびＣＰＵ２１を作動させる電源を生成して出力する。
【００１２】
ＣＰＵ２１は、電源回路２６の供給する電源により動作し、Ｉ／Ｆコネクタ２３とＩ／Ｆ回路２４とを介して不図示のメインユニットから入力されるＵＳＢ（Ｕｎｉｖｅｒｓａｌ Ｓｅｒｉａｌ Ｂｕｓ）等のＩ／Ｆ信号、及びタッチスイッチ３ａ，３ｂからロジック化回路２２を介して入力されるロジック信号に基づいて、メディア再生ユニット１に対して所定の動作を行うように動作指令を送る。
【００１３】
タッチスイッチ３ａ，３ｂは、透明な導電性フィルム等の電極から成り、ユーザの指等が接触した際における静電容量の変化をアナログ信号として出力する。ロジック化回路２２は、アナログ信号をデジタル化し、ロジック信号としてＣＰＵ２１に出力する。
【００１４】
次に、タッチスイッチ３ａ，３ｂを介してのユーザ操作の受付について具体的に説明する。
図２には、メディア再生装置の斜視図を示す。メディア再生ユニット１及びメディア再生ユニット制御回路２は、略直方体の筐体内部に収納されている。
【００１５】
筐体のディスク挿入口４が設けられた面であるディスク挿入面パネル３には、ユーザ操作を受付けるために設けられてその面積の大部分を占める操作領域Ｓ1がある。操作領域Ｓ1はほぼ等分に２分割されており、分割された２つのエリアのうちの一方のエリア全面にタッチスイッチ３ａが、また同様に、他方のエリア全面にタッチスイッチ３ｂが配置されている。このように操作領域Ｓ1を分割したエリアそれぞれの全面を用いてタッチスイッチ３ａ，３ｂを大きく配置することで、ユーザはタッチスイッチ３ａ，３ｂの位置を目視せずともタッチスイッチ３ａ，３ｂに触れることが容易となり、タッチスイッチ３ａ，３ｂのブラインドタッチ操作が容易になる。
【００１６】
より具体的には、タッチスイッチ３ａ，３ｂは指より大きく、操作領域Ｓ1の横幅はディスク挿入面パネル３の横幅と同程度、又は、操作領域Ｓ1の縁からディスク挿入面パネル３の縁までの距離が指より小さくなるように配置される。
タッチスイッチ３ａ，３ｂは、透明な導電性フィルム等の電極から成り、ディスク挿入面パネル３の外観からはその位置を視認できないため、図２では破線で示しているが、ディスク挿入面パネル３にその外枠を印刷するなどして位置を視認できるようにしてもよい。
なお、タッチスイッチ３ａ，３ｂ間は、後述するなぞる操作に支障がなければ、若干の隙間が空いていても構わない。
【００１７】
図１０には、この発明の実施の形態１に係るメディア再生装置の理解を助けるための参考例を示す。参考例のメディア再生装置において、ディスク挿入口４が設けられたディスク挿入面パネル３１では、操作領域Ｓ11が分割されることなくその領域内の一部のみを用いて６個ものタッチスイッチ３１ａ〜３１ｆが配置されている。このため６個のタッチスイッチ３１ａ〜３１ｆそれぞれの大きさは、操作領域Ｓ1をほぼ等分に２分割したタッチスイッチ３ａ，３ｂよりも小さい。また、タッチスイッチ間の隙間も広い。タッチスイッチ３ａ，３ｂに比べて１個あたりの大きさが小さく、かつ、６個も横並びに配置されたタッチスイッチ３１ａ〜３１ｆでは、タッチスイッチ３１ａ〜３１ｆの位置を目視することなくユーザが所望のタッチスイッチ３１ａ〜３１ｆに触れることは困難であり、ブラインドタッチ操作に向かない。
【００１８】
次に、実施の形態１に係るメディア再生装置の動作を説明する。
ロジック化回路２２は、タッチスイッチ３ａ，３ｂへの接触が有る状況ではＨＩレベルのロジック信号を、タッチスイッチ３ａ，３ｂへの接触が無い状況ではＬＯＷレベルのロジック信号をＣＰＵ２１に出力する。このロジック信号は、タッチスイッチ３ａとタッチスイッチ３ｂとで系統が別になっており、ＣＰＵ２１には、タッチスイッチ３ａ，３ｂのどちらのタッチスイッチへの接触が有るのか無いのかが判定可能なように入力される。
【００１９】
ＣＰＵ２１は、ロジック化回路２２から入力されるロジック信号に基づきユーザの意図するユーザ操作を判定する。この判定は、ロジック信号から判定されるタッチスイッチ３ａ，３ｂへのユーザの接触順番及びその接触時間の組合せに基づき行われる。ユーザ操作の判定後、ＣＰＵ２１は、判定したユーザ操作に対応した所定の動作をメディア再生ユニット１が行うよう、動作指令を送り制御する。
【００２０】
図３に、タッチスイッチ３ａ，３ｂへの接触順番及び接触時間の組合せと、メディア再生ユニット１が実行する機能との対応例を表形式でまとめたものを示す。この対応例は、再生対象のメディアがＣＤである場合の一例である。図３中のアイコン及び操作アイコンについては改めて後述する。
一回目に接触が検出されたタッチスイッチが、タッチスイッチ３ａ又はタッチスイッチ３ｂであり、その際の接触時間が５００ｍｓ未満であれば、一時停止／再生が実行される（操作パターン♯１）。
また、一回目に接触が検出されたタッチスイッチが、タッチスイッチ３ａ又はタッチスイッチ３ｂであり、その際の接触時間が５００ｍｓ以上２ｓ未満であれば、停止／再生が実行される（操作パターン♯２）。
また、一回目に接触が検出されたタッチスイッチが、タッチスイッチ３ａ又はタッチスイッチ３ｂであり、その際の接触時間が２ｓ以上であれば、メディアの排出が実行される（操作パターン♯３）。
【００２１】
また、一回目に接触が検出されたタッチスイッチがタッチスイッチ３ａでありその際の接触時間が２ｓ未満、かつ、連続して次の接触が検出されたタッチスイッチがタッチスイッチ３ｂでありその際の接触時間が１ｓ未満であれば、１曲送りが実行される（操作パターン♯４）。
なお、連続しての接触とは、あるタッチスイッチへの接触を解除してから設定時間内に別のタッチスイッチへ接触したときに該当する。この設定時間は、タッチスイッチ３ａ，３ｂ間をなぞる操作を検出するためのものであり、あるタッチスイッチから別のタッチスイッチへなぞるように移動する際に、あるタッチスイッチを離れた瞬間から別のタッチスイッチに接触する瞬間までに掛かると考えられる時間を考慮して設定され、例えば５００ｍｓとされる。
【００２２】
また、一回目に接触が検出されたタッチスイッチがタッチスイッチ３ｂでありその際の接触時間が２ｓ未満、かつ、連続して次の接触が検出されたタッチスイッチがタッチスイッチ３ａでありその際の接触時間が１ｓ未満であれば、１曲戻しが実行される（操作パターン♯５）。
また、一回目に接触が検出されたタッチスイッチがタッチスイッチ３ａでありその際の接触時間が２ｓ未満、かつ、連続して次の接触が検出されたタッチスイッチがタッチスイッチ３ｂでありその際の接触時間が１ｓ以上であれば、早送りが実行される（操作パターン♯６）。
また、一回目に接触が検出されたタッチスイッチがタッチスイッチ３ｂでありその際の接触時間が２ｓ未満、かつ、連続して次の接触が検出されたタッチスイッチがタッチスイッチ３ａでありその際の接触時間が１ｓ以上であれば、早戻しが実行される（操作パターン♯７）。
このように、一時停止、停止、再生、排出についてはタッチスイッチ３ａ，３ｂへの点接触、送り、戻しについてはタッチスイッチ３ａ，３ｂ間をなぞる接触での操作という直感的な操作性を実現できる。
【００２３】
図４は、図３にて表形式でまとめたものを、タッチスイッチ３ａ，３ｂへの接触に関するタイミングチャートとして、ロジック化回路２２から出力されるロジック信号の様子を、実行される機能別に示したものである。図４（ａ）及び図４（ｂ）は一時停止／再生に、図４（ｃ）及び図４（ｄ）は停止／再生に、図４（ｅ）及び図４（ｆ）は排出に、図４（ｇ）は一曲送りに、図４（ｈ）は一曲戻しに、図４（ｉ）は早送りに、図４（ｊ）は早戻しに、それぞれ対応する。
【００２４】
図５（ａ）及び図５（ｂ）は、ＣＰＵ２１によるユーザ操作の判定処理を示すフローチャートである。
メディア再生装置の動作時、ＣＰＵ２１は、ディスク挿入口４にディスクが挿入されているか否かを判定する（ステップＳＴ１）。これは例えば、ディスクが挿入されている場合にディスクが存在する可能性のある領域に向けて光を投射し、その反射光を捉えることでディスクの有無を検出する光センサを設置して、この光センサからの出力信号をＣＰＵ２１に入力すること等により判定可能である。
ディスク挿入口４にディスクが挿入されていない場合（ステップＳＴ１；ＮＯ）、ＣＰＵ２１はユーザ操作の判定処理を終了する。
【００２５】
一方、ディスク挿入口４にディスクが挿入されている場合（ステップＳＴ１；ＹＥＳ）、続いて、ＣＰＵ２１は、ロジック化回路２２が出力するロジック信号を基に、タッチスイッチ３ａへの接触があるか否かを判定する（ステップＳＴ２）。
タッチスイッチ３ａへの接触が無い場合（ステップＳＴ２；ＮＯ）、後述する図５（ｂ）のステップＳＴ３２の処理に移る。
一方、タッチスイッチ３ａへの接触がある場合（ステップＳＴ２；ＹＥＳ）、続いて、ＣＰＵ２１は、ロジック化回路２２が出力するロジック信号を基に、ステップＳＴ２で検出されたタッチスイッチ３ａへの接触時間が５００ｍｓ未満であるか否かを判定する（ステップＳＴ３）。
【００２６】
ステップＳＴ２で検出されたタッチスイッチ３ａへの接触時間が５００ｍｓ未満でない場合（ステップＳＴ３；ＮＯ）、後述するステップＳＴ２０の処理に移る。
一方、ステップＳＴ２で検出されたタッチスイッチ３ａへの接触時間が５００ｍｓ未満である場合（ステップＳＴ３；ＹＥＳ）、続いて、ＣＰＵ２１は、ディスクの再生処理中であるか否かを判定する（ステップＳＴ４）。
【００２７】
ディスクの再生処理中でない場合（ステップＳＴ４；ＮＯ）、ＣＰＵ２１は、メディア再生ユニット１を制御して、再生処理を実行させる（ステップＳＴ５）。
一方、ディスクの再生処理中である場合（ステップＳＴ４；ＹＥＳ）、続いて、ＣＰＵ２１は、ロジック化回路２２が出力するロジック信号を基に、ステップＳＴ２で検出されたタッチスイッチ３ａへの接触が解除されてから５００ｍｓ以内にタッチスイッチ３ｂへの接触があるか否かを判定する（ステップＳＴ６）。
【００２８】
ステップＳＴ２で検出されたタッチスイッチ３ａへの接触が解除されてから５００ｍｓ以内にタッチスイッチ３ｂへの接触がない場合（ステップＳＴ６；ＮＯ）、ＣＰＵ２１は、メディア再生ユニット１を制御して、一時停止処理を実行させる（ステップＳＴ７）。
一方、ステップＳＴ２で検出されたタッチスイッチ３ａへの接触が解除されてから５００ｍｓ以内にタッチスイッチ３ｂへの接触がある場合（ステップＳＴ６；ＹＥＳ）、続いて、ＣＰＵ２１は、ロジック化回路２２が出力するロジック信号を基に、ステップＳＴ６で検出されたタッチスイッチ３ｂへの接触時間が１ｓ未満であるか否かを判定する（ステップＳＴ８）。
【００２９】
ステップＳＴ６で検出されたタッチスイッチ３ｂへの接触時間が１ｓ未満でない場合（ステップＳＴ８；ＮＯ）、ＣＰＵ２１は、メディア再生ユニット１を制御して、早送り処理を実行させる（ステップＳＴ９）。
一方、ステップＳＴ６で検出されたタッチスイッチ３ｂへの接触時間が１ｓ未満である場合（ステップＳＴ８；ＹＥＳ）、ＣＰＵ２１は、メディア再生ユニット１を制御して、一曲送り処理を実行させる（ステップＳＴ１０）。
【００３０】
ステップＳＴ２０では、ＣＰＵ２１が、ロジック化回路２２が出力するロジック信号を基に、ステップＳＴ２で検出されたタッチスイッチ３ａへの接触時間が２ｓ未満であるか否かを判定する。
ステップＳＴ２で検出されたタッチスイッチ３ａへの接触時間が２ｓ未満でない場合（ステップＳＴ２０；ＮＯ）、ＣＰＵ２１は、メディア再生ユニット１を制御して、排出処理を実行させる（ステップＳＴ２１）。
一方、ステップＳＴ２で検出されたタッチスイッチ３ａへの接触時間が２ｓ未満である場合（ステップＳＴ２０；ＹＥＳ）、続いて、ＣＰＵ２１は、ディスクの再生処理中であるか否かを判定する（ステップＳＴ２２）。
【００３１】
ディスクの再生処理中でない場合（ステップＳＴ２２；ＮＯ）、ＣＰＵ２１は、メディア再生ユニット１を制御して、再生処理を実行させる（ステップＳＴ２３）。
一方、ディスクの再生処理中である場合（ステップＳＴ２２；ＹＥＳ）、ＣＰＵ２１は、メディア再生ユニット１を制御して、停止処理を実行させる（ステップＳＴ２４）。
【００３２】
図５（ｂ）のステップＳＴ３２では、ＣＰＵ２１が、ロジック化回路２２が出力するロジック信号を基に、タッチスイッチ３ｂへの接触があるか否かを判定する（ステップＳＴ３２）。
タッチスイッチ３ｂへの接触がない場合（ステップＳＴ３２；ＮＯ）、ＣＰＵ２１はユーザ操作の判定処理を終了する。
【００３３】
一方、タッチスイッチ３ｂへの接触がある場合（ステップＳＴ３２；ＹＥＳ）、ステップＳＴ３３への処理へ移る。ステップＳＴ３３〜ＳＴ３８，ＳＴ５０〜ＳＴ５４は、ステップＳＴ３〜ＳＴ８，ＳＴ２０〜ＳＴ２４とそれぞれ対応するものであり、判定に用いるタッチスイッチがステップＳＴ３３〜ＳＴ３８，ＳＴ５０〜ＳＴ５４と、ステップＳＴ３〜ＳＴ８，ＳＴ２０〜ＳＴ２４とで逆になるだけであるため、説明を省略する。
なお、タッチスイッチ３ｂへの接触時間を基に判定するステップＳＴ８に対応する、タッチスイッチ３ａへの接触時間を基に判定するステップＳＴ３８では、タッチスイッチ３ａへの接触時間が１ｓ未満でない場合（ステップＳＴ３８；ＮＯ）は早戻し処理（ステップＳＴ３９）に移り、タッチスイッチ３ａへの接触時間が１ｓ未満である場合（ステップＳＴ３８；ＹＥＳ）は一曲戻し処理（ステップＳＴ４０）に移る。
【００３４】
図３〜図５を用いて以上説明したように、タッチスイッチ３ａ，３ｂへの接触順番及びその接触時間の組合せによって、ユーザは種々の操作が可能であり、タッチスイッチ３ａ，３ｂの２個に対して、図３〜図５では計７種の操作が可能であることを示した。
【００３５】
なお、タッチスイッチ３ａ，３ｂへの接触順番及びその接触時間の組合せに基づきＣＰＵ２１がユーザの所望する機能を判定した際に、当該判定した機能を表すアイコンをＬＥＤ（Ｌｉｇｈｔ Ｅｍｉｔｔｉｎｇ Ｄｉｏｄｅ）等の発光素子を用いて、ディスク挿入面パネル３１に表示するようにしてもよい。機能とアイコンの対応例については、図３に示す通りである。
また、ユーザがタッチスイッチ３ａ，３ｂに接触したときに音を発生するように構成してもよい。タッチスイッチ３ａとタッチスイッチ３ｂとで異なる音とすることで、どちらのタッチスイッチにどれ程の時間だけ接触しているかを容易にユーザは知ることができるので、ブラインドタッチ操作がより快適に行える。
また、タッチスイッチ３ａ，３ｂの間に凹部又は凸部を設けてもよい。このようにすることで、ユーザがタッチスイッチ３ａ，３ｂ間をなぞる操作を認識できるので、ブラインドタッチ操作がより快適に行える。
【００３６】
また、メディア再生装置の操作に慣れていないユーザへの補助として、操作方法を感覚的に表した操作アイコンをディスク挿入面パネル３１に印刷しておいてもよい。機能と操作アイコンの対応については、図３に示す通りである。
例えば一時停止／再生、停止／再生、排出は、タッチスイッチ３ａ，３ｂへの接触時間の長短で判定されることを示すため、接触時間の長さに比例した大きさの円で表現する。
また、一曲送り、一曲戻しは、タッチスイッチ３ａ，３ｂ間をなぞって移動させることを表現し、早送り、早戻しはさらに、なぞって移動した先のタッチスイッチ３ａ，３ｂで接触時間を確保する必要があることを円を付けて表現する。
図６（ａ），（ｂ）は、操作アイコンの配置例であり、ディスク挿入面パネル３の任意の位置に印刷する。
このようにすることで、メディア再生装置の操作に慣れていないユーザであっても、停車時等に操作アイコンを見て感覚的に機能と必要な操作の対応付けが分かるようになるため、操作性が良くなる。
【００３７】
また、上記では、ディスクが挿入されることで音楽等の再生を行う装置として示したが、メディア再生装置の不図示の内部メモリに情報を記録して音楽等の再生を行うものであってもよい。
【００３８】
また、上記では、メディア再生装置が車両に搭載される場合を例に説明したが、鉄道車両、航空機、船舶等に搭載してもよいし、人が携帯することで移動するタイプのものであってもよい。あるいは、移動体に搭載されなくとも、タッチスイッチ３ａ，３ｂが容易に目視できないような位置に設置されるメディア再生装置に対して、この発明を適用してもよい。
【００３９】
以上のように、この実施の形態１に係るメディア再生装置によれば、操作領域Ｓ1を２分割して、分割した２つのエリアのうちの一方のエリア全面にタッチスイッチ３ａが、他方のエリア全面にタッチスイッチ３ｂが配置されることで、ユーザはブラインドタッチ操作が容易となり、かつ、タッチスイッチ３ａ，３ｂへの接触及びその接触時間の組合せに基づく操作が可能であるので、タッチスイッチ３ａ，３ｂの数以上の機能を、ユーザは選択可能となる。
さらに、各タッチスイッチへの接触有無とその接触時間の組合せに加え、複数のタッチスイッチの接触順番とその接触時間の組合せを考慮することにより、ユーザが選択可能な機能の数を増やすことができる。
【００４０】
また、配置されるタッチスイッチの数を２個とすることで、それよりも多い場合に比べてブラインドタッチ操作がより容易となる。
【００４１】
実施の形態２．
実施の形態１では、タッチスイッチが２個の場合を示したが、実施の形態２では、タッチスイッチが３個の場合について説明する。
図７に、実施の形態２に係るメディア再生装置のディスク挿入面パネル３の平面図を示す。ディスク挿入面パネル３には、ユーザ操作を受付けるために設けられてその面積の大部分を占める操作領域Ｓ2がある。操作領域Ｓ2は３分割されており、ディスク挿入口４の下部に位置する分割された２つのエリアのうちの一方のエリア全面にタッチスイッチ３ａが、また同様に、他方のエリア全面にタッチスイッチ３ｂが配置されている。そして、ディスク挿入口４の上部に位置する残りの分割されたエリア全面に、タッチスイッチ３ｃが配置されている。タッチスイッチ３ｃが追加される点以外は、実施の形態１に係るメディア再生装置の構成と差異はない。
【００４２】
図７のようにタッチスイッチ３ｃを配置した場合は、ディスク挿入口４が、タッチスイッチ３ａ，３ｃ間、タッチスイッチ３ｂ，３ｃ間をなぞる操作をユーザが認識する助けとなる凹部として機能する。
または、図８に示すように、ディスク挿入口４の下部に位置する操作領域Ｓ1をＴ字状の分割線で３分割して、分割したエリアそれぞれの全面にタッチスイッチ３ａ〜３ｃを配置してもよい。
いずれにせよ、図７及び図８のようにして操作領域Ｓ1，Ｓ2を分割したエリアそれぞれの全面を用いてタッチスイッチ３ａ〜３ｃを大きく配置することで、ユーザはタッチスイッチ３ａ〜３ｃの位置を目視せずともタッチスイッチ３ａ〜３ｃに触れることが容易となり、タッチスイッチ３ａ〜３ｃのブラインドタッチ操作が容易になる。
なお、タッチスイッチ３ａ〜３ｃ間は、なぞる操作に支障がなければ、若干の隙間が空いていても構わない。図７では更に、タッチスイッチ３ａ〜３ｃとディスク挿入口４との間に若干の隙間が空いていても構わない。
【００４３】
実施の形態２に係るメディア再生装置の内部構成は図１と同じであるため、以下では図１を援用する。実施の形態２では、ＣＰＵ２１が、タッチスイッチ３ａ〜３ｃへのユーザの接触順番及びその接触時間の組合せに基づき、ユーザの意図するユーザ操作を判定する。
図９（ａ）に、タッチスイッチ３ａ〜３ｃへの接触順番及び接触時間の組合せと、メディア再生ユニット１が実行する機能との対応例を表形式でまとめたものを示す。この対応例は、再生対象のメディアがＣＤである場合の一例である。
【００４４】
タッチスイッチが追加される分だけ、ユーザが選択可能な機能は図３で示したものから増えており、以下ではこの増えた部分（操作パターン♯８〜♯１５）についてのみ説明する。
一回目に接触が検出されたタッチスイッチがタッチスイッチ３ａでありその際の接触時間が２ｓ未満、かつ、連続して次の接触が検出されたタッチスイッチがタッチスイッチ３ｃでありその際の接触時間が１ｓ未満であれば、消音が実行される（操作パターン♯８）。
また、一回目に接触が検出されたタッチスイッチがタッチスイッチ３ｃでありその際の接触時間が２ｓ未満、かつ、連続して次の接触が検出されたタッチスイッチがタッチスイッチ３ａでありその際の接触時間が１ｓ未満であれば、消音解除が実行される（操作パターン♯９）。
【００４５】
また、一回目に接触が検出されたタッチスイッチがタッチスイッチ３ａでありその際の接触時間が２ｓ未満、かつ、連続して次の接触が検出されたタッチスイッチがタッチスイッチ３ｃでありその際の接触時間が１ｓ以上であれば、ランダム再生モードの指定が実行される（操作パターン♯１０）。
また、一回目に接触が検出されたタッチスイッチがタッチスイッチ３ｃでありその際の接触時間が２ｓ未満、かつ、連続して次の接触が検出されたタッチスイッチがタッチスイッチ３ａでありその際の接触時間が１ｓ以上であれば、通常再生モードの指定が実行される（操作パターン♯１１）。
【００４６】
また、一回目に接触が検出されたタッチスイッチがタッチスイッチ３ｂでありその際の接触時間が２ｓ未満、かつ、連続して次の接触が検出されたタッチスイッチがタッチスイッチ３ｃでありその際の接触時間が１ｓ未満であれば、次フォルダ指定又は１０曲送りが実行される（操作パターン♯１２）。
また、一回目に接触が検出されたタッチスイッチがタッチスイッチ３ｃでありその際の接触時間が２ｓ未満、かつ、連続して次の接触が検出されたタッチスイッチがタッチスイッチ３ｂでありその際の接触時間が１ｓ未満であれば、前フォルダ指定又は１０曲戻しが実行される（操作パターン♯１３）。
【００４７】
また、一回目に接触が検出されたタッチスイッチがタッチスイッチ３ｂでありその際の接触時間が２ｓ未満、かつ、連続して次の接触が検出されたタッチスイッチがタッチスイッチ３ｃでありその際の接触時間が１ｓ以上であれば、再生順方向に各曲を１０秒ずつ再生する処理が実行される（操作パターン♯１４）。
また、一回目に接触が検出されたタッチスイッチがタッチスイッチ３ｃでありその際の接触時間が２ｓ未満、かつ、連続して次の接触が検出されたタッチスイッチがタッチスイッチ３ｂでありその際の接触時間が１ｓ以上であれば、再生逆方向に各曲を１０秒ずつ再生する処理が実行される（操作パターン♯１５）。
【００４８】
図９（ｂ）は、操作アイコンの配置例であり、ディスク挿入面パネル３の任意の位置に印刷する。
操作パターン♯８〜♯１５に対応する操作アイコンでは、タッチスイッチ３ａ，３ｃ間又はタッチスイッチ３ｂ，３ｃ間を上下になぞる操作が必要であることを表現している。
【００４９】
以上のように、この実施の形態２に係るメディア再生装置によれば、操作領域Ｓ1または操作領域Ｓ2を３分割して、分割したエリアそれぞれの全面にタッチスイッチ３ａ〜３ｃが配置されることで、ユーザはブラインドタッチ操作が容易となり、かつ、タッチスイッチ３ａ〜３ｃへの接触及びその接触時間の組合せに基づく操作が可能であるので、タッチスイッチ３ａ〜３ｃの数以上の機能を、ユーザは選択可能となる。
【００５０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５１】
１  メディア再生ユニット（メディア再生部）、２  メディア再生ユニット制御回路、３  ディスク挿入面パネル、３ａ〜３ｃ  タッチスイッチ、４  ディスク挿入口、２１  ＣＰＵ（制御部）、２２  ロジック化回路、２３  Ｉ／Ｆコネクタ、２４  Ｉ／Ｆ回路、２５  電源コネクタ、２６  電源回路、３１  ディスク挿入面パネル、３１ａ〜３１ｆ  タッチスイッチ。
【図１】
2015201239.tif 000003
【図２】
2015201239.tif 000004
【図３】
2015201239.tif 000005
【図４】
2015201239.tif 000006
【図５（ａ）】
2015201239.tif 000007
【図５（ｂ）】
2015201239.tif 000008
【図６】
2015201239.tif 000009
【図７】
2015201239.tif 000010
【図８】
2015201239.tif 000011
【図９（ａ）】
2015201239.tif 000012
【図９（ｂ）】
2015201239.tif 000013
【図１０】
2015201239.tif 000014